【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
地図に関する地図情報、および、上記地図上に表示される地図オブジェクトに関する地図オブジェクト情報を記憶する地図情報記憶手段と、
表示部における上記地図情報の表示領域の変更を指示する表示領域変更指示が入力部を介して入力された場合、当該表示領域変更指示に基づき変更される上記表示領域に対応する上記地図情報に基づく上記地図上の、予め設定された位置である表示優先位置の表示優先位置情報を取得する表示優先位置情報取得手段と、
上記表示優先位置情報取得手段により取得された上記表示優先位置情報に基づく上記表示優先位置を基準に、上記地図オブジェクト情報の表示優先順位を決定し、当該表示優先順位に関する表示優先順位情報を取得する表示優先順位情報取得手段と、
上記地図情報上に、上記表示優先順位情報取得手段により取得された上記表示優先順位情報に基づく上記表示優先順位に基づき、上記地図オブジェクト情報を重畳して上記表示部に表示させる地図情報表示手段と、
を備えたことを特徴とする、ナビゲーションシステム。
【請求項２】
地図に関する地図情報、および、上記地図上に表示される地図オブジェクトに関する地図オブジェクト情報を記憶する地図情報記憶手段と、
表示部において表示された上記地図情報に基づく上記地図上の、入力部を介して指定された任意の位置である表示優先位置の表示優先位置情報を取得する表示優先位置情報取得手段と、
上記表示優先位置情報取得手段により取得された上記表示優先位置情報に基づく上記表示優先位置を基準に、上記地図オブジェクト情報の表示優先順位を決定し、当該表示優先順位に関する表示優先順位情報を取得する表示優先順位情報取得手段と、
上記地図情報上に、上記表示優先順位情報取得手段により取得された上記表示優先順位情報に基づく上記表示優先順位に基づき、上記地図オブジェクト情報を重畳して上記表示部に表示させる地図情報表示手段と、
を備えたことを特徴とする、ナビゲーションシステム。
【請求項３】
請求項１または２に記載のナビゲーションシステムにおいて、
上記表示優先順位情報取得手段は、
上記表示優先位置情報取得手段により取得された上記表示優先位置情報に基づく上記表示優先位置と、上記地図オブジェクトの上記地図上の位置との距離に基づき、上記地図オブジェクト情報の上記表示優先順位を決定し、当該表示優先順位に関する上記表示優先順位情報を取得することを特徴とする、ナビゲーションシステム。
【請求項４】
請求項１乃至４のいずれか一つに記載のナビゲーションシステムにおいて、
上記地図オブジェクト情報同士の上記表示が上記表示部において重なるか否か判定する表示判定手段、
を更に備え、
上記地図情報表示手段は、
上記表示判定手段により上記地図オブジェクト情報同士の表示が重なると判定された場合、上記地図情報上に、上記表示優先順位情報取得手段により取得された上記表示優先順位情報に基づく上記表示優先順位に基づき、当該表示優先順位の高い方の当該地図オブジェクト情報を重畳し、更に、当該高い方の地図オブジェクト情報より表示サイズが小さくなるように、当該表示優先順位の低い方の当該地図オブジェクト情報を重畳して上記表示部に表示させることを特徴とする、ナビゲーションシステム。
【請求項５】
請求項１乃至４のいずれか一つに記載のナビゲーションシステムにおいて、
上記地図オブジェクト情報同士の上記表示が上記表示部において重なるか否か判定する表示判定手段、
を更に備え、
上記地図情報表示手段は、
上記表示判定手段により上記地図オブジェクト情報同士の表示が重なると判定された場合、上記地図情報上に、上記表示優先順位情報取得手段により取得された上記表示優先順位情報に基づく上記表示優先順位に基づき、当該表示優先順位の低い方の当該地図オブジェクト情報を重畳し、更に、当該低い方の地図オブジェクト情報上に、当該表示優先順位の高い方の当該地図オブジェクト情報を重畳して上記表示部に表示させることを特徴とする、ナビゲーションシステム。
【請求項６】
請求項１乃至４のいずれか一つに記載のナビゲーションシステムにおいて、
上記地図オブジェクト情報同士の上記表示が上記表示部において重なるか否か判定する表示判定手段、
を更に備え、
上記地図情報表示手段は、
上記表示判定手段により上記地図オブジェクト情報同士の表示が重なると判定された場合、上記地図情報上に、上記表示優先順位情報取得手段により取得された上記表示優先順位情報に基づく上記表示優先順位に基づき、当該表示優先順位の高い方の当該地図オブジェクト情報を重畳し、更に、当該高い方の地図オブジェクト情報の上記表示と重ならないように、当該表示優先順位の低い方の当該地図オブジェクト情報を重畳して上記表示部に表示させることを特徴とする、ナビゲーションシステム。
【請求項７】
ナビゲーションシステムにおいて実行されるナビゲーション方法であって、
上記ナビゲーションシステムは、
地図に関する地図情報、および、上記地図上に表示される地図オブジェクトに関する地図オブジェクト情報を記憶する地図情報記憶手段と、表示優先位置情報取得手段と、表示優先順位情報取得手段と、地図情報表示手段と、
を備え、
上記表示優先位置情報取得手段が、表示部における上記地図情報の表示領域の変更を指示する表示領域変更指示が入力部を介して入力された場合、当該表示領域変更指示に基づき変更される上記表示領域に対応する上記地図情報に基づく上記地図上の、予め設定された位置である表示優先位置の表示優先位置情報を取得する表示優先位置情報取得ステップと、
上記表示優先順位情報取得手段が、上記表示優先位置情報取得ステップにて取得された上記表示優先位置情報に基づく上記表示優先位置を基準に、上記地図オブジェクト情報の表示優先順位を決定し、当該表示優先順位に関する表示優先順位情報を取得する表示優先順位情報取得ステップと、
上記地図情報表示手段が、上記地図情報上に、上記表示優先順位情報取得ステップにて取得された上記表示優先順位情報に基づく上記表示優先順位に基づき、上記地図オブジェクト情報を重畳して上記表示部に表示させる地図情報表示ステップと、
を含むことを特徴とする、ナビゲーション方法。
【請求項８】
ナビゲーションシステムにおいて実行されるナビゲーション方法であって、
上記ナビゲーションシステムは、
地図に関する地図情報、および、上記地図上に表示される地図オブジェクトに関する地図オブジェクト情報を記憶する地図情報記憶手段と、表示優先位置情報取得手段と、表示優先順位情報取得手段と、地図情報表示手段と、
を備え、
上記表示優先位置情報取得手段が、表示部において表示された上記地図情報に基づく上記地図上の、入力部を介して指定された任意の位置である表示優先位置の表示優先位置情報を取得する表示優先位置情報取得ステップと、
上記表示優先順位情報取得手段が、上記表示優先位置情報取得ステップにて取得された上記表示優先位置情報に基づく上記表示優先位置を基準に、上記地図オブジェクト情報の表示優先順位を決定し、当該表示優先順位に関する表示優先順位情報を取得する表示優先順位情報取得ステップと、
上記地図情報表示手段が、上記地図情報上に、上記表示優先順位情報取得ステップにて取得された上記表示優先順位情報に基づく上記表示優先順位に基づき、上記地図オブジェクト情報を重畳して上記表示部に表示させる地図情報表示ステップと、
を含むことを特徴とする、ナビゲーション方法。
【請求項９】
コンピュータを、
地図に関する地図情報、および、上記地図上に表示される地図オブジェクトに関する地図オブジェクト情報を記憶する地図情報記憶手段と、
表示部における上記地図情報の表示領域の変更を指示する表示領域変更指示が入力部を介して入力された場合、当該表示領域変更指示に基づき変更される上記表示領域に対応する上記地図情報に基づく上記地図上の、予め設定された位置である表示優先位置の表示優先位置情報を取得する表示優先位置情報取得手段と、
上記表示優先位置情報取得手段により取得された上記表示優先位置情報に基づく上記表示優先位置を基準に、上記地図オブジェクト情報の表示優先順位を決定し、当該表示優先順位に関する表示優先順位情報を取得する表示優先順位情報取得手段と、
上記地図情報上に、上記表示優先順位情報取得手段により取得された上記表示優先順位情報に基づく上記表示優先順位に基づき、上記地図オブジェクト情報を重畳して上記表示部に表示させる地図情報表示手段、
として機能させるためのプログラム。
【請求項１０】
コンピュータを、
地図に関する地図情報、および、上記地図上に表示される地図オブジェクトに関する地図オブジェクト情報を記憶する地図情報記憶手段と、
表示部において表示された上記地図情報に基づく上記地図上の、入力部を介して指定された任意の位置である表示優先位置の表示優先位置情報を取得する表示優先位置情報取得手段と、
上記表示優先位置情報取得手段により取得された上記表示優先位置情報に基づく上記表示優先位置を基準に、上記地図オブジェクト情報の表示優先順位を決定し、当該表示優先順位に関する表示優先順位情報を取得する表示優先順位情報取得手段と、
上記地図情報上に、上記表示優先順位情報取得手段により取得された上記表示優先順位情報に基づく上記表示優先順位に基づき、上記地図オブジェクト情報を重畳して上記表示部に表示させる地図情報表示手段、
として機能させるためのプログラム。
【請求項１１】
表示部を少なくとも備えた端末装置に通信可能に接続された、制御部と記憶部とを少なくとも備えたナビゲーションサーバに実行させるためのプログラムであって、
上記記憶部は、
地図に関する地図情報、および、上記地図上に表示される地図オブジェクトに関する地図オブジェクト情報を記憶する地図情報記憶手段、
を備え、
上記制御部において、
上記端末装置から送信される、上記端末装置の上記表示部における上記地図情報の表示領域の変更を指示する表示領域変更指示に基づき変更される上記表示領域に対応する上記地図情報に基づく上記地図上の、予め設定された位置である表示優先位置の表示優先位置情報に基づく当該表示優先位置を基準に、上記地図オブジェクト情報の表示優先順位を決定し、当該表示優先順位に関する表示優先順位情報を取得する表示優先順位情報取得ステップと、
上記地図情報記憶手段に記憶された上記地図情報および上記地図オブジェクト情報、ならびに／または、上記表示優先順位情報取得ステップにて取得された上記表示優先順位情報を含む出力情報を上記端末装置に送信する出力情報送信ステップと、
を実行させるためのプログラム。
【請求項１２】
入力部と表示部とを少なくとも備えた端末装置に通信可能に接続された、制御部と記憶部とを少なくとも備えたナビゲーションサーバに実行させるためのプログラムであって、
上記記憶部は、
地図に関する地図情報、および、上記地図上に表示される地図オブジェクトに関する地図オブジェクト情報を記憶する地図情報記憶手段、
を備え、
上記制御部において、
上記端末装置から送信される、上記端末装置の上記表示部において表示された上記地図情報に基づく上記地図上の、上記端末装置の上記入力部を介して指定された任意の位置である表示優先位置の表示優先位置情報に基づく当該表示優先位置を基準に、上記地図オブジェクト情報の表示優先順位を決定し、当該表示優先順位に関する表示優先順位情報を取得する表示優先順位情報取得ステップと、
上記地図情報記憶手段に記憶された上記地図情報および上記地図オブジェクト情報、ならびに／または、上記表示優先順位情報取得ステップにて取得された上記表示優先順位情報を含む出力情報を上記端末装置に送信する出力情報送信ステップと、
を実行させるためのプログラム。